(57)【要約】  【課題】  たとえば自動車の燃費を向上させ、或いは人体に対して良好な機能を付与する等、水の性質を改良する水改質材に関し、自動車等の燃費向上を図る上で、エンジンや電気系統に手を加えることなく、また潤滑油等に添加するという手段を講ずるものでもなく、ラジエータに収容される水、或いはガソリンと混合して燃焼する空気中に含有されている水蒸気としての水等、燃焼効率と関連を持ち得る水自体を改質するという従来にない着想の下になされたもので、水自体の本質的な改質をなすことで自動車の燃費向上等に寄与し、また人体に対して良好な作用を示す等の機能をも水に付与しうる水改質材を提供することを課題とする。  【解決手段】  土の焼成物であって、Ａｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有することを特徴とする。【選択図】  なし【特許請求の範囲】
【請求項１】
土の焼成物であって、少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有することを特徴とする水改質材。
【請求項２】
未焼成の状態でアルミニウム、ホウ素、バリウム、カルシウム、鉄、カリウム、マグネシウム、マンガン、ナトリウム、珪素、チタン、若しくは亜鉛、又はこれらの元素を含む化合物を含有し、且つ焼成された状態で少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有するような土の焼成物からなることを特徴とする水改質材。
【請求項３】
土の焼成物であって、高周波誘導結合プラズマ発光分光分析法（ＩＣＰ）による定性分析で、５〜２０重量％のアルミニウム、０．０５〜０．５重量％のホウ素、０．０１〜０．１重量％のバリウム、０．５〜３重量％のカルシウム、１〜５重量％の鉄、０．５〜３重量％のカリウム、０．１〜１重量％のマグネシウム、０．０１〜０．１重量％のマンガン、０．１〜１重量％のナトリウム、２０〜５０重量％の珪素、０．０５〜０．５重量％のチタン、０．００５〜０．０５重量％の亜鉛を含有することを特徴とする水改質材。    
【請求項４】
請求項１乃至３のいずれかに記載の水改質材で処理したことを特徴とする改質水。
【請求項５】
請求項１乃至３のいずれかに記載の水改質材に通水して得られたことを特徴とする改質水。
【請求項６】
請求項４又は５記載の改質水と、不凍液とを混合して得られたことを特徴とする冷却液。
【請求項７】
１〜５０％の改質水と、５０〜９９％の不凍液とを含有する請求項６記載の冷却液。
【請求項８】
請求項４又は５記載の改質水と、不凍液とを混合して冷却液を製造することを特徴とする冷却液の製造方法。
【請求項９】
請求項４又は５記載の改質水と、不凍液とを混合した後、その混合液を請求項１乃至３のいずれかに記載の水改質材に再度通水する請求項８記載の冷却液の製造方法。
【発明の詳細な説明】
【技術分野】
【０００１】
本発明は水改質材、さらに詳しくは、たとえば自動車の燃費を向上させ、或いは人体に対して良好な機能を付与する等、水の性質を改良する水改質材に関するものである。
【背景技術】
【０００２】
水を改質して種々の用途に利用することについては、従来から種々の研究がされており、各種の特許出願がなされている。たとえば下記特許文献１に記載された発明は、カテキン類、サポニン類、タンニン等をセラミックスとともに樹脂中に内添して水の改質部材としたものである。この特許文献１においては、試験による効果の確認がなされているが、この特許文献１に係る発明は、家庭用、業務用の水改質部材としての機能を持続させることを目的としてなされたもので、上記試験による効果も、消臭性、抗微生物性、脱塩素性、脱ハロメタン性、抗酸化性等、機能水としてごく一般的な効果が裏付けられているにすぎないものである。
【０００３】
また下記特許文献２に記載された発明は、強磁場処理された水に炭素数２〜４のカルビノールが混合された水溶液を被処理液とし、その被処理液中の水分子クラスターを細分化処理及び融合処理した機能性水に関する発明であり、高い浸透性を付与して、工業薬品、医薬品等に適用することを意図するものである。しかし、浸透性が付与されるのは、水以外に相当量のカルビノールが混合されているからであり、機能性水と称されてはいるものの、水自体の機能性を向上させているわけでは必ずしもない。
【０００４】
さらに下記特許文献３に記載された発明は、光触媒の存在のもと、原料液に光触媒溶液を加え、紫外線を照射することで遠赤外線の微弱エネルギーの特性、作用を有する転写可能な遠赤外線放射波動水の製造方法に関する発明である。しかし、この特許文献３においては、遠赤外線とマイナスイオンの作用により、人体に対しては、細胞を活性化し、新陳代謝を活発化して、肩こり、リュウマチ、アトピー性皮膚炎等の各種疾患に有用である効果や、車の外部機構に塗布するだけで排気ガス中の有害成分の低減作用、燃費、パワー、トルクを向上する効果等、種々の効果を記載しているものの、試験等により客観的な効果の裏付けがなされていない。この特許文献３に限らず、水改質に関する特許出願には、単なる着想を開示したにすぎないものも数多く存在している。
【０００５】
いずれにしても、従来では、水自体の本質的な改質をなしたことを試験結果等で客観的に開示したような特許出願はなく、また客観的な試験結果が示されていても、上記特許文献１のように消臭性、脱塩素性、抗酸化性等、主として浄化の観点からの試験結果を開示したものであり、水自体の機能の改質を示すものではない。
【０００６】
一方、自動車の燃費を向上させる技術として、従来から種々の研究がされており、各種の特許出願がなされている。たとえば下記特許文献４に記載された発明は、ポリテトラフルオロエチレン及び窒化ボロンの少なくとも一種と、セラミックスとを含有する潤滑油用添加剤に関する発明であるが、あくまで潤滑油の長寿命化を図るものにすぎない。
【０００７】
また下記特許文献５に記載された発明は、プラスチック、セラミックス等からなる筒状成形体の外表部に溝を形成し、その溝に永久磁石を嵌め込み、燃料と燃料の流路との間で静電気を発生させて燃料を帯電させるとともに、その後に磁界を生じさせて、静電気の発生と磁気による処理を同一部所で行なうことにより、燃料改質器の高能力を引き出すものである。しかし、静電気や磁界による作用でガソリンの燃焼効率を改善しようとする技術の提案は、この特許文献５の出願前においてもなされているものの、その効果の実効性については定かでない。また、この特許文献５の装置は、従前の装置に比べて小形化を図ろうとするものであるが、溝の形成や永久磁石の嵌め込み等、筒状成形体からなる器具の製作が必ずしも容易であるとはいえない。
【０００８】
さらに下記特許文献６に記載された発明は、微弱電磁波を放射し、マイナスイオンを発生させるセラミックス粉体と、板状軟質発泡体又は繊維質体とを、粘着剤を介してアルミ粘着テープに貼着し、吸気ダクトや給油パイプに取り付けて燃焼の効率を高めるものである。しかし、この特許文献６では、試験等により客観的な効果の裏付けがなされていない。この特許文献６に限らないが、自動車の燃費向上に関する技術分野においても、上記水改質と同様に単なる着想を開示したにすぎない出願が数多く存在している。
【０００９】
【特許文献１】特開２００１−７９５６７号公報
【特許文献２】特開２００２−３３８９４０号公報
【特許文献３】ＷＯ２００２／０８１３８３号公報
【特許文献４】特開２００４−１８５５５号公報
【特許文献５】特開２００４−１８５５５号公報
【特許文献６】特開２００４−１８５５５号公報
【発明の開示】
【発明が解決しようとする課題】
【００１０】
本発明は、自動車等の燃費向上を図る上で、エンジンや電気系統に手を加えることなく、また潤滑油等に添加するという手段を講ずるものでもなく、ラジエータに収容される水、或いはガソリンと混合して燃焼する空気中に含有されている水蒸気としての水等、燃焼効率と関連を持ち得る水自体を改質するという従来にない着想の下になされたもので、水自体の本質的な改質をなすことで自動車の燃費向上等に寄与し、また人体に対して良好な作用を示す等の機能をも水に付与しうる水改質材を提供することを課題とするものである。
【課題を解決するための手段】
【００１１】
本発明は、このような課題を解決するためになされたもので、水改質材に係る請求項１記載の発明は、土の焼成物であって、少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有することを特徴とする。また請求項２記載の発明は、未焼成の状態でアルミニウム、ホウ素、バリウム、カルシウム、鉄、カリウム、マグネシウム、マンガン、ナトリウム、珪素、チタン、若しくは亜鉛、又はこれらの元素を含む化合物を含有し、且つ焼成された状態で少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有するような土の焼成物からなることを特徴とする。すなわち、未焼成の状態においては、アルミニウム、ホウ素、バリウム、カルシウム、鉄、カリウム、マグネシウム、マンガン、ナトリウム、珪素、チタン、若しくは亜鉛、又はアルミニウム化合物、ホウ素化合物、バリウム化合物、カルシウム化合物、鉄化合物、カリウム化合物、マグネシウム化合物、マンガン化合物、ナトリウム化合物、珪素化合物、チタン化合物、若しくは亜鉛化合物のすべてを土中の成分として含有する必要はなく、そのうち何種かを含有していればよいが、焼成された状態においては、少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有することになる。尚、「これらの元素を含む化合物」には、金属等の酸化物も含む。従って、焼成後に含まれているＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、ＺｎＯのうちの一種以上のものが未焼成の状態で含まれていてもよい。
【００１２】
また請求項３記載の発明は、土の焼成物であって、高周波誘導結合プラズマ発光分光分析法（ＩＣＰ）による定性分析で、５〜２０重量％のアルミニウム（Ａｌ）、０．０５〜０．５重量％のホウ素（Ｂ）、０．０１〜０．１重量％のバリウム（Ｂａ）、０．５〜３重量％のカルシウム（Ｃａ）、１〜５重量％の鉄（Ｆｅ）、０．５〜３重量％のカリウム（Ｋ）、０．１〜１重量％のマグネシウム（Ｍｇ）、０．０１〜０．１重量％のマンガン（Ｍｎ）、０．１〜１重量％のナトリウム（Ｎａ）、２０〜５０重量％の珪素（Ｓｉ）、０．０５〜０．５重量％のチタン（Ｔｉ）、０．００５〜０．０５重量％の亜鉛（Ｚｎ）を含有することを特徴とする。
【００１３】
さらに改質水に係る請求項４記載の発明は、請求項１乃至３のいずれかに記載の水改質材を処理して得られたことを特徴とする。さらに、請求項５記載の発明は、請求項１乃至３のいずれかに記載の水改質材に通水して得られたことを特徴とする。
【００１４】
さらに冷却液に係る請求項６記載の発明は、請求項４又は５記載の改質水と、不凍液とを混合して得られたことを特徴とする。さらに、請求項７記載の発明は、請求項６記載の冷却液において、１〜５０％の改質水と、５０〜９９％の不凍液とを含有することを特徴とする。
【００１５】
さらに冷却液の製造方法に係る請求項８記載の発明は、請求項４又は５記載の改質水と、不凍液とを混合して冷却液を製造することを特徴とする。さらに、請求項９記載の発明は、請求項８記載の冷却液の製造方法において、請求項４又は５記載の改質水と、不凍液とを混合した後、その混合液を請求項１乃至３のいずれかに記載の水改質材に再度通水することを特徴とする。
【発明の効果】
【００１６】
本発明の水改質材は、上述のように、土の焼成物であってＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有するものであり、或いは未焼成の状態でアルミニウム、ホウ素、バリウム、カルシウム、鉄、カリウム、マグネシウム、マンガン、ナトリウム、珪素、チタン、若しくは亜鉛、又はこれらの元素を含む化合物を含有し、且つ焼成された状態で少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有するような土の焼成物からなるものであり、或いは土の焼成物であって、高周波誘導結合プラズマ発光分光分析法（ＩＣＰ）による定性分析で、５〜２０重量％のＡｌ、０．０５〜０．５重量％のＢ、０．０１〜０．１重量％のＢａ、０．５〜３重量％のＣａ、１〜５重量％のＦｅ、０．５〜３重量％のＫ、０．１〜１重量％のＭｇ、０．０１〜０．１重量％のＭｎ、０．１〜１重量％のＮａ、２０〜５０重量％のＳｉ、０．０５〜０．５重量％のＴｉ、０．００５〜０．０５重量％のＺｎを含有するものであるため、このような水改質材によって処理された水は、後述の試験結果からも明らかなように、その水分子にエネルギー変化が生じており、水分子が活性化される等によって機能性が付与されたものとなる。
【００１７】
従って、たとえばこのような水改質材をチップ状物等に具備させて、自動車のラジエータの近傍部分に装着し、或いはこのような水改質材で処理した水をラジエータ内の冷却液に含有させることで、自動車の燃費向上が図れることになる。
【００１８】
これをより具体的に説明すると、一般にラジエータの水は８０〜９０℃が適正温度であり、９０℃を超えると１℃上がるにつれて燃費が落ちると認められている。また、８０℃以下でも燃費が落ちるとされている。本発明の水改質材で処理した水は、水分子の活性化により早く熱を放出或いは吸収し、その結果、上述のように水改質材がラジエータの近傍部分に装着され、或いはこのような水改質材で処理した水がラジエータ内の冷却液に含有されることで、ラジエータ内の水は、上記水分子の活性化に伴う放熱、吸熱作用により早く適正水温に到達することができ、この温度に関連する燃費のロスが少ないこととなる。      
【００１９】
一方、空気にも水分が含有されているので、水分子の活性化により、ガソリンと空気の混合に伴うガソリンの燃焼が生じ易くなり、ガソリンの燃焼効率が良好となる。これらの水の相乗作用によって、上述のように自動車の燃費が従来に比べて著しく向上するという効果がある。
【００２０】
また、本発明の水改質材で処理した水を、飲用とすることで、体液循環、生体防御、自律神経系等、人体に対しても良好に作用するという効果が得られた。
【発明を実施するための最良の形態】
【００２１】
以下、本発明の実施形態について説明する。
【００２２】
（実施形態１）
本実施形態の水改質材の組成は、次のとおりである。
成分                          重量比（重量％）
Ａｌ2Ｏ3                         １８．７
Ｂ2Ｏ3                             ０．２３
ＢａＯ                              ０．０６
ＣａＯ                              １．３２
Ｆｅ2Ｏ3                           ３．５５
Ｋ2Ｏ                              ２．２１
ＭｇＯ                              ０．５６
ＭｎＯ                              ０．０５
Ｎａ2Ｏ                            １．１４
ＳｉＯ2                           ６９．６
ＴｉＯ2                             ０．５２
ＺｎＯ                              ０．０２
【００２３】
本実施形態の水改質材は、山形県上ノ山市の標高５００〜１０００ｍ程度の山間部であって、周辺に薬草が生育しているような場所で採取した土壌を、約６００℃の温度で焼成した粉粒状のもの（粉体）である。
【００２４】
（実施形態２）
このような組成からなる水改質材は、たとえば、金属チップ１内に装填されることによって使用される。具体的には、図１及び図２に示すように、２枚の金属片２，２間に上記水改質材の粉体３を挟持させ、金属片２，２をプレスすることによって、内部に上記水改質材の粉体３が装填された金属チップ１が得られる。このような金属チップ１は、たとえば自動車のラジエータの本体部やアッパーホース等に貼着して使用される。このような水改質材を具備した金属チップ１を貼着することで、ガソリンが無駄に消費されることもなく、燃費が従来に比べて著しく向上することとなる。
【００２５】
これをより詳細に説明すると、一般にラジエータの水は８０〜９０℃が適正温度、９０℃を超えると１℃上がるにつれて燃費が落ちる。また、８０℃以下でも燃費が落ちる。この点、上記のように水改質材をラジエータ近傍に装着することで、そのラジエータ内の水の分子を活性化させることができ、その水分子の活性化により早く熱を放出し、また熱の吸収も速くすることができ、それによってラジエータ内の水が早く適正水温に到達するので、この温度に関連する燃費のロスが少ない。また空気にも水分が含有されているので、水分子の活性化により、ガソリンと空気の混合に伴うガソリンの燃焼が生じ易くなり、ガソリンの燃焼効率が良好となるのである。
【００２６】
（実施形態３）
また、上記のような水改質材は、上記のようにラジエータの本体部等に直接装着する他、ラジエータ内に収容する水の改質用としても使用することができる。上記水改質材を用いてラジエータ内に収容する改質水を製造する方法の一例について説明すると、容器内にフィルターを設置し、そのフィルター上に、上記のような粉体からなる水改質材を載置し、その状態で、必要に応じて塩素等を除去した水を容器内に入れ、前記水改質材に通水するとともに、前記フィルターで濾過する。
【００２７】
このように濾過して得られた水も、改質水として上述のように水の分子が活性化されたものであり、熱の放出、吸収を速やかに行ない得るものである。従って、このような改質水がラジエータ内に収容されていることで、ラジエータ内の水が８０〜９０℃の適正温度に早く到達することになる。一方、適正温度に到達した後は、９０℃以上に不用意に上昇することもない。従って、適正温度に維持されることで、燃費もロスも少ないものとなるのである。
【００２８】
（実施形態４）
尚、上述のように水改質材を載置したフィルターで濾過した水を、そのまま改質水として上記のようにラジエータに収容して使用することもできるが、その濾過水を予め不凍液と混合して冷却液を製造した上で、ラジエータに収容することもできる。
【００２９】
その冷却液の製造方法の一例を説明すると、上記のように水改質材を載置したフィルターで濾過した水を、さらに２日間放置し、その放置後の濾過水に不凍液を混合する。その水と不凍液との混合液を、上記水改質材を載置したフィルターで再度濾過し、さらに２日間放置する。その放置後の混合液を別の容器内に入れて、４時間攪拌する。このようにして攪拌した混合水をさらに２日間放置することで、ラジエータに収容するための冷却液が製造されることとなるのである。
【００３０】
尚、不凍液としては、アルコール系，グリセリン系，又はエチレングリコール系等、市販されている任意の不凍液を使用することが可能である。また濾過水と不凍液との混合比も特に限定されないが、一例として本実施形態では、不凍液６０％と濾過水４０％からなるものが用いられる。
【００３１】
（実施形態５）
本実施形態では、上記のような水改質材を、上記実施形態２乃至４のような自動車等の燃費向上の目的ではなく、飲用として用いる場合の実施形態である。たとえば上記実施形態１の組成からなる水改質材を、上記実施形態２のような金属チップ内に装填し、予め水を収容したコップを、前記水改質材を装填した金属チップの上に載置する。
【００３２】
この状態で一定期間（たとえば、２日間）放置することで、飲用の改質水が得られることとなる。このようにして得られた改質水は、たとえば、体液循環、生体防御、自律神経系等、人体に対して効能を有する水として飲用に供し得る。その効能については、後述の実施例でより詳細に説明する。
【００３３】
尚、このような飲用の改質水は、上記実施形態１の水改質材を、容器に設置されたフィルターに載置し、その水改質材に水を通水し、フィルターで濾過するという上記実施形態３の製造方法によっても得ることができる。
【００３４】
（その他の実施形態）
尚、上記実施形態１では、土の焼成物であって上記のような成分、重量比の組成からなるものを水改質材として用いたが、水改質材の重量比は上記実施形態に限定されるものではない。要は、土の焼成物であって、少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有するようなものであればよく、また未焼成の状態でアルミニウム、ホウ素、バリウム、カルシウム、鉄、カリウム、マグネシウム、マンガン、ナトリウム、珪素、チタン、若しくは亜鉛、又はこれらの元素の化合物を含有し、且つ焼成された状態で少なくともＡｌ2Ｏ3 、Ｂ2Ｏ3 、ＢａＯ、ＣａＯ、Ｆｅ2Ｏ3 、Ｋ2Ｏ、ＭｇＯ、ＭｎＯ、Ｎａ2Ｏ、ＳｉＯ2 、ＴｉＯ2 、及びＺｎＯを含有するようなものであればよい。
このような条件を満たす限り、これらの成分以外の元素若しくはその化合物を微量に含有していてもよい。
ただし、上記のように水分子を活性化させる作用を生じさせる観点からは、たとえば高周波誘導結合プラズマ発光分光分析法（ＩＣＰ）による定性分析で、Ａｌが５〜２０重量％、Ｂが０．０５〜０．５重量％、Ｂａが０．０１〜０．１重量％、Ｃａが０．５〜３重量％、Ｆｅが１〜５重量％、Ｋが０．５〜３重量％、Ｍｇが０．１〜１重量％、Ｍｎが０．０１〜０．１重量％、Ｎａが０．１〜１重量％、Ｓｉが２０〜５０重量％、Ｔｉが０．０５〜０．５重量％、Ｚｎが０．００５〜０．０５重量％となるように、各元素や化合物等をそれぞれ含有することが好ましい。
【００３５】
尚、上記実施形態で示した重量比の数値は、後述の実施例で示す定量分析によって得られた数値を酸化物換算したものであるが、分析試験の誤差等を許容することを考慮した場合、定性分析値が上記範囲内のものであれば、上記実施形態で説明したような作用、効果と同様の作用、効果が生じうるものと考えられる。
【００３６】
また上記実施形態２では、水改質材を金属チップ内に装填して使用する場合について説明したが、水改質材の使用の態様は上記実施形態に限定されるものではない。たとえばセラミック製の板状部材に挟着して用いることも可能である。或いは金属製やセラミック製の小容器に上記水改質材を収容し、その小容器をラジエータの近傍に装着して使用することも可能である。ただし、ラジエータの近傍に装着し易いような形態のものに水改質材が具備されることが好ましい。
【００３７】
また上記のような金属等の他の部材に装填せずに、水改質材をそのまま使用することも可能である。この場合、粉体状の性状でそのまま使用することもできないわけではないが、所望の形状に成形するなどによって使用することが可能である。
【００３８】
さらに上記実施形態３では、水改質材を載置したフィルターを容器に設置し、その容器に水を入れて水改質材を通水させフィルターで濾過したものを改質水として使用したが、水改質材によって改質水を得る方法は該実施形態に限定されるものではない。
【００３９】
たとえば上記のような水改質材を不織布、合成繊維等の透水性素材からなる袋に充填し、その水改質材の袋充填物を容器に入れるとともに、容器内に水を入れて袋充填物を水に浸漬した状態とし、その状態で一定期間放置した後に、袋充填物を容器から取り出し、その袋充填物の取り出し後の水を改質水として用いることも可能である。
【００４０】
さらに、上記実施形態４では、上記水改質材を載置したフィルターで濾過した水を、さらに２日間放置し、その放置後の濾過水に不凍液を混合し、その水と不凍液との混合液を、上記水改質材を載置したフィルターで再度濾過し、さらに２日間放置、攪拌した混合水をさらに２日間放置することで、ラジエータに収容する冷却液を製造したが、その冷却液の製造方法も上記実施形態に限定されるものではなく、たとえば上記２日間の放置や攪拌を行なわないことも可能である。この場合、濾過水と不凍液との混合液を直ちに冷却液として使用することも可能ではあるが、改質水の作用、効果を良好とする観点からは、上記混合水を、上記改質材を載置したフィルターで再度濾過するのが好ましい。
【００４１】
さらに、水改質材を構成する土壌の焼成温度も上記実施形態１の６００℃に限定されるものではないが、４００〜７００℃程度の温度で焼成するのが好ましい。
【００４２】
さらに、上記実施形態４では、冷却液の組成として、不凍液６０％と、水改質材で濾過した濾過水（改質水）４０％からなるものを用いたが、冷却液の組成も該実施形態に限定されるものではない。ただし、不凍液は４０〜８０％の範囲で配合し、改質水は２０〜６０％の範囲で配合することが好ましい。
尚、このような冷却液は、そのままラジエータに収容して使用することも可能であるが、既存のラジエータ中の冷却液に本発明の冷却液を少量添加して使用することも可能である。また、上記改質水を既存のラジエータ中の冷却液に添加して使用することも可能である。
【００４３】
尚、本発明の水改質材を燃費向上用として用いる場合、上記実施形態のように主としてラジエーターの近傍に装着され、或いはラジエータ内に収容する水として使用されるが、装着位置等は上記実施形態に限定されるものではない。
【００４４】
さらに、上記実施形態では、本発明の水改質材を自動車の燃費向上用として使用する場合について説明したが、水改質材の用途はこれに限定されるものではなく、自動車以外に船舶，航空機，発電所等の内燃機関の冷却装置に適用することも可能であり、さらに外燃機関の冷却装置に適用することも可能である他、クーラー等の家庭燃料品に適用することも可能である。
【００４５】
さらに、燃費向上等の用途以外に、上記実施形態５のような飲用として、さらには、他の種々の用途に使用することが可能である。
【実施例】
【００４６】
以下、本発明の実施例について説明する。
【００４７】
（実施例１）
本実施例では、上記実施形態で用いた水改質材の化学分析に関し、定性分析と定量分析の双方を行なった。一般的な土壌と比較するために、比較例１（東京都の新宿公園の土を採取したもの）及び比較例２（東京都の多摩川堤防の土を採取したもの）との成分比較を行なった。
【００４８】
〔定性分析〕
定性分析は、高周波誘導結合プラズマ発光分光分析法（ＩＣＰ）により行なった。
上記実施形態の水改質材の定性分析結果は、次のとおりであった。
【００４９】
成分                            重量比（重量％）
Ａｌ                              ５〜２０
Ｂ                                ０．０５〜０．５
Ｂａ                              ０．０１〜０．１
Ｃａ                              ０．５〜３
Ｆｅ                              １〜５
Ｋ                                ０．５〜３
Ｍｇ                              ０．１〜１
Ｍｎ                              ０．０１〜０．１
Ｎａ                              ０．１〜１
Ｓｉ                            ２０〜５０
Ｔｉ                              ０．０５〜０．５
Ｚｎ                              ０．００５〜０．０５
【００５０】
Ａｇ、Ａｓ、Ａｕ、Ｂｅ、Ｂｉ、Ｃｄ、Ｃｅ、Ｃｏ、Ｃｒ、Ｃｓ、Ｃｕ、Ｄｙ、Ｅｒ、Ｅｕ、Ｇａ、Ｇｄ、Ｇｅ、Ｈｆ、Ｈｇ、Ｈｏ、Ｉｎ、Ｉｒ、Ｌａ、Ｌｉ、Ｌｕ、Ｍｏ、Ｎｂ、Ｎｄ、Ｎｉ、Ｏｓ、Ｐ、Ｐｂ、Ｐｄ、Ｐｒ、Ｒｂ、Ｒｅ、Ｒｈ、Ｒｕ、Ｓｂ、Ｓｃ、Ｓｅ、Ｓｍ、Ｓｎ、Ｔａ、Ｔｂ、Ｔｅ、Ｔｈ、Ｔｌ、Ｔｍ、Ｕ、Ｖ、Ｗ、Ｙ、Ｙｂ、Ｚｒの各元素については検出されなかった。またＰｔに関しては、前処理にＰｔ製の容器を用いたことから、Ｐｔが試料に付着しているおそれがあり、正確に分析することができなかった。
【００５１】
また、比較例１の定性分析結果は、次のとおりであった。
成分                            重量比（重量％）
Ａｌ                              ２〜１０
Ｂａ                              ０．００５〜０．０５
Ｃａ                              ５〜２０
Ｆｅ                              ２〜１０
Ｋ                                ０．１〜１
Ｍｇ                              １〜５
Ｍｎ                              ０．０５〜０．５
Ｎａ                              ０．１〜１
Ｓｉ                              ５〜２０
Ｔｉ                              ０．１〜１
Ｖ                                ０．００５〜０．０５
Ｚｎ                            ０．００５〜０．０５
【００５２】
Ａｇ、Ａｓ、Ａｕ、Ｂ、Ｂｅ、Ｂｉ、Ｃｄ、Ｃｅ、Ｃｏ、Ｃｒ、Ｃｓ、Ｃｕ、Ｄｙ、Ｅｒ、Ｅｕ、Ｇａ、Ｇｄ、Ｇｅ、Ｈｆ、Ｈｇ、Ｈｏ、Ｉｎ、Ｉｒ、Ｌａ、Ｌｉ、Ｌｕ、Ｍｏ、Ｎｂ、Ｎｄ、Ｎｉ、Ｏｓ、Ｐ、Ｐｂ、Ｐｄ、Ｐｒ、Ｒｂ、Ｒｅ、Ｒｈ、Ｒｕ、Ｓｂ、Ｓｃ、Ｓｅ、Ｓｍ、Ｓｎ、Ｔａ、Ｔｂ、Ｔｅ、Ｔｈ、Ｔｌ、Ｔｍ、Ｕ、Ｗ、Ｙ、Ｙｂ、Ｚｒの各元素については検出されなかった。またＰｔに関しては、前処理にＰｔ製の容器を用いたことから、容器を構成するＰｔが試料に付着しているおそれがあり、正確に分析することができなかった。
【００５３】
さらに、比較例２の定性分析結果は、次のとおりであった。
成分                              重量比（重量％）
Ａｌ                              ２〜１０
Ｂａ                              ０．０１〜０．１
Ｃａ                              ０．５〜３
Ｆｅ                              ２〜１０
Ｋ                                ０．５〜３
Ｍｇ                              ０．５〜３
Ｍｎ                              ０．０５〜０．５
Ｎａ                              ０．５〜３
Ｓｉ                            ２０〜５０
Ｔｉ                              ０．１〜１
Ｖ                                ０．００５〜０．０５
Ｚｎ                              ０．００５〜０．０５
【００５４】
Ａｇ、Ａｓ、Ａｕ、Ｂ、Ｂｅ、Ｂｉ、Ｃｄ、Ｃｅ、Ｃｏ、Ｃｒ、Ｃｓ、Ｃｕ、Ｄｙ、Ｅｒ、Ｅｕ、Ｇａ、Ｇｄ、Ｇｅ、Ｈｆ、Ｈｇ、Ｈｏ、Ｉｎ、Ｉｒ、Ｌａ、Ｌｉ、Ｌｕ、Ｍｏ、Ｎｂ、Ｎｄ、Ｎｉ、Ｏｓ、Ｐ、Ｐｂ、Ｐｄ、Ｐｒ、Ｒｂ、Ｒｅ、Ｒｈ、Ｒｕ、Ｓｂ、Ｓｃ、Ｓｅ、Ｓｍ、Ｓｎ、Ｔａ、Ｔｂ、Ｔｅ、Ｔｈ、Ｔｌ、Ｔｍ、Ｕ、Ｗ、Ｙ、Ｙｂ、Ｚｒの各元素については検出されなかった。またＰｔに関しては、前処理にＰｔ製の容器を用いたことから、容器を構成するＰｔが試料に付着しているおそれがあり、正確に分析することができなかった。
【００５５】
〔定量分析〕
定量分析は、Ｃについては燃焼赤外線吸収法により行ない、Ｓｉについては重量法により行ない、Ｎａ、Ｋについては原子吸光光度法により行ない、その他の元素については高周波誘導結合プラズマ発光分光分析法（ＩＣＰ）により行なった。
【００５６】
上記実施形態の水改質材の定量分析結果は、次のとおりであった。
成分                              重量比（重量％）
Ａｌ                                ９．８８
Ｂ                                  ０．０７
Ｂａ                                ０．０５
Ｃａ                                ０．９４
Ｆｅ                                ２．４８
Ｋ                                  １．８３
Ｍｇ                                ０．３４
Ｍｎ                                ０．０４
Ｎａ                                ０．８５
Ｓｉ                              ３２．５
Ｔｉ                                ０．３１
Ｚｎ                                ０．０２
Ｃ                                  ０．２３
【００５７】
上記のような水改質材は、土壌を焼成したものであり、土壌を構成する無機成分として、金属酸化物、若しくは酸化物以外の金属化合物、又は金属元素以外の元素の化合物等、種々の化合物が含有されている。しかし、上記定性分析法や定量分析法では一般に固形物は溶解し水溶液の状態にして高温条件下で分析が行なわれるので、化合物を構成している元素のうち、酸素その他主として陰イオンを構成するような元素は飛散して検出されず、金属元素、その他主として陽イオンを構成するような元素、その他無機化合物を構成する炭素等のみが検出されることとなる。一方、土壌を構成する無機成分としては種々の化合物があるが、一般に空気中で焼成すると酸化物になることと、相互比較する上で便利なことから、上記定性分析法や定量分析法によって検出された各元素の含有量から、一般に行なわれているような方法で酸化物換算を行なうこととした。
【００５８】
上記成分単体の定量値を酸化物換算した値は、次のとおりである。
成分                                重量比（重量％）
Ａｌ2Ｏ3                           １８．７
Ｂ2Ｏ3                               ０．２３
ＢａＯ                                ０．０６
ＣａＯ                                １．３２
Ｆｅ2Ｏ3                             ３．５５
Ｋ2Ｏ                                ２．２１
ＭｇＯ                                ０．５６
ＭｎＯ                                ０．０５
Ｎａ2Ｏ                              １．１４
ＳｉＯ2                             ６９．６
ＴｉＯ2                               ０．５２
ＺｎＯ                                ０．０２
【００５９】
次に、比較例１についても同様の試験方法で定量分析を行なった。その定量分析結果は、次のとおりであった。
成分                                重量比（重量％）
Ａｌ                                  ７．００
Ｂａ                                  ０．０２
Ｃａ                                  ９．５２
Ｆｅ                                  ４．７６
Ｋ                                    ０．６０
Ｍｇ                                  ２．３９
Ｍｎ                                  ０．１０
Ｎａ                                  ０．６１
Ｓｉ                                １８．０
Ｔｉ                                  ０．３８
Ｖ                                    ０．０２
Ｚｎ                                  ０．０２
Ｃ                                    ５．３９
【００６０】
また、定量分析結果の上記成分単体の定量値を酸化物換算した値は、次のとおりである。
成分                                重量比（重量％）
Ａｌ2Ｏ3                           １３．２
ＢａＯ                                ０．０２
ＣａＯ                              １３．３
Ｆｅ2Ｏ3                             ６．８１
Ｋ2Ｏ                                ０．７２
ＭｇＯ                                ３．９７
ＭｎＯ                                ０．１３
Ｎａ2Ｏ                              ０．８９
ＳｉＯ2                             ３８．４
ＴｉＯ2                               ０．６３
Ｖ2Ｏ3                               ０．０４
ＺｎＯ                                ０．０２
【００６１】
さらに、比較例２についても同様の試験方法で定量分析を行なった。その定量分析結果は、次のとおりであった。
成分                                重量比（重量％）
Ａｌ                                  ７．０２
Ｂａ                                  ０．０４
Ｃａ                                  １．１１
Ｆｅ                                  ６．１０
Ｋ                                    １．３２
Ｍｇ                                  １．２０
Ｍｎ                                  ０．１０
Ｎａ                                  １．２２
Ｓｉ                                ３０．６
Ｔｉ                                  ０．４２
Ｖ                                    ０．０２
Ｚｎ                                  ０．０２
Ｃ                                    ０．９７
【００６２】
また、定量分析結果の上記成分単体の定量値を酸化物換算した値は、次のとおりである。
成分                                重量比（重量％）
Ａｌ2Ｏ3                           １３．３
ＢａＯ                                ０．０４
ＣａＯ                                １．５６
Ｆｅ2Ｏ3                             ７．２９
Ｋ2Ｏ                                １．５９
ＭｇＯ                                １．９９
ＭｎＯ                                ０．１３
Ｎａ2Ｏ                              １．６４
ＳｉＯ2                             ６５．５
ＴｉＯ2                               ０．７０
Ｖ2Ｏ3                               ０．０４
ＺｎＯ                                ０．０２
【００６３】
以上の定性及び定量分析の結果からも明らかなように、本実施例ではＢａが検出され、従って本実施例の水改質材を構成する成分にＢａＯのようなＢａを含む化合物が含有されていることを確認できたのに対し、比較例１及び２ではＢａが検出されず、ＢａＯのようなＢａを含む化合物が含有されていないことが確認できた。一方、比較例１及び２ではＶが検出され、従ってＶ2Ｏ3のようなＶを含む化合物が含有されていることを確認できたのに対し、本実施例ではＶが検出されず、Ｖ2Ｏ3のようなＶを含む化合物が含有されていないことが確認できた。この結果から、本実施例の水改質材を構成する土壌は、比較例１、２の土壌とは、明らかに組成の異なるものであることがわかった。
【００６４】
（実施例２）
本実施例では、市販のミネラルウォーターを用い、そのミネラルウォーターを上記実施形態１の水改質材で処理したものを改質水とし、その改質水の赤外線吸収スペクトルを測定し、未処理のミネラルウオーターの赤外線吸収スペクトルと比較した。
【００６５】
〔試験方法〕
測定装置としては、Herschel FT/IR-680Plus全真空型フーリエ変換赤外分光光度計を用いた。測定条件は次のとおり行った。
ＡＴＲ法（ATR PRO400S：ZnSeプリズム使用）
積算回数：３０回数
分解能  ：４ｃｍ-1
検知器  ：ＭＣＴ（IRT-30標準ミッドバンド）
【００６６】
改質水の調製は次のように行った。すなわち、先ず上記実施形態２のように水改質材を装填した小さな長方形板状の金属チップを２枚準備した。金属チップ内に装填されている水改質材は、１．５ｇとした。暗室内でこの２枚の金属チップの上に、市販の５００ｍｌペットボトル入りミネラルウォーターを横にして置き、約６０時間放置して改質水を得た。一方、同じ市販のペットボトル入りミネラルウォーターであって、このような水改質材で処理していないものを比較例とした（未処理水）。
【００６７】
赤外線吸収スペクトルの測定は、最初に未処理水について測定し、測定し終わった後、改質水について測定した。改質水の入ったペットボトルは測定前に転倒させてよく攪拌した。
【００６８】
測定結果の赤外線吸収スペクトルのチャートを図３乃至７に示す。図３には、１回目に測定した改質水と未処理水とのスペクトルを重ね書きしたものを示しており、図４には、図３から求めた改質水と未処理水との差スペクトルを示している。また、図５には、２回目に測定した改質水と未処理水とのスペクトルを重ね書きしたものを示しており、図６には、図５から求めた改質水と未処理水との差スペクトルを示している。さらに、図７には、図４と図６の差スペクトルを重ね書きしたものを示している。
【００６９】
図５に示すように、３０００〜３６００ｃｍ-1において、水分子におけるＯＨの伸縮運動に基づくものと認められる吸収スペクトルのピークが現れており、また１６００〜１７００ｃｍ-1において、水分子におけるＨ−Ｏ−Ｈの変角振動に基づくものと認められる吸収スペクトルのピークが現れている。しかし、図５においては、改質水と未処理水とのスペクトルがほぼ重なり、明確な差が認められない。
【００７０】
そこで、差スペクトルを示す図４や図６は、縦軸の吸光度の数値を細かくすることで、スペクトル図を拡大して示した。その結果、図４及び図６に示すように、変化は小さいが、ＯＨの伸縮振動に基づく１６００〜１７００ｃｍ-1においては、改質水の吸収スペクトルの吸光度がやや小さく、吸収スペクトルにわずかに低下傾向が認められたが、Ｈ−Ｏ−Ｈの変角振動に基づく３０００〜３６００ｃｍ-1においては、改質水の吸収スペクトルの吸光度が大きく、吸収スペクトルに明らかに向上傾向が認められた。
【００７１】
全体しては、改質水の吸収スペクトルに向上傾向が認められている。また図７の差スペクトルの重ね書きの結果から、２回の測定で同様の結果が得られており、改質水の吸収スペクトルに向上傾向があることに再現性が認められた。
【００７２】
この試験結果から、スペクトルの変化は小さいが、上記のような水改質材で処理した改質水は、処理していない比較例の未処理水と比較して、Ｈ−Ｏ−Ｈの変角振動に基づく３０００〜３６００ｃｍ-1において明らかに変化が認められており、またこの変化には図７のように再現性があることから、未処理水に比べ、改質水では水分子が活性化しているものと認められ、明らかに変化していると認められる。このことから、水改質材が市販のミネラルウォーターに作用し、その水が改質されたと考えられる。
【００７３】
（実施例３）
本実施例においても、市販のミネラルウォーターを用い、そのミネラルウォーターを上記実施形態１の水改質材で処理したものを改質水とし、その改質水のテラヘルツ吸収スペクトルを測定し、未処理のミネラルウオーターのテラヘルツ吸収スペクトルと比較した。      
【００７４】
測定装置としては、株式会社栃木ニコン製のテラヘルツパルス分光装置RT-10000を用いた。測定条件は次のとおり行った。
測定波数範囲：３．３〜６０ｃｍ-1（０．１〜１．８ＴＨｚ）
波数分解    ：≦３．３ｃｍ-1（≦０．１ＴＨｚ）
試料の厚さ  ：０．１ｍｍ
【００７５】
改質水の調製は次のように行った。すなわち、先ず上記実施形態２のように水改質材を装填した小さな長方形板状の金属チップを２枚準備した。金属チップ内に装填されている水改質材は１．０ｇとした。暗室内でこの２枚の金属チップの上に、市販の５００ｍｌペットボトル入りミネラルウォーターを横にして置き、約１００時間放置して改質水を得た。一方、同じ市販のペットボトル入りミネラルウォーターであって、このような水改質材で処理していないものを比較例とした（未処理水）。
【００７６】
テラヘルツスペクトルの測定は、最初に未処理水について測定し、測定し終わった後、改質水について測定した。上記実施例２と同様に、改質水の入ったペットボトルは測定前に転倒させてよく攪拌した。
【００７７】
測定結果のテラヘルツ吸収スペクトルを図８乃至１０に示す。図８には、未処理水と改質水とのテラヘルツ吸収スペクトルをそれぞれ２回測定したものを示しており、図９には各２回測定した平均の吸収スペクトルを示しており、図１０には、図９から求めた改質水と未処理水との差スペクトルを示している。
【００７８】
図８や図９では、改質水と未処理水とのスペクトルがほぼ重なり、明確な差が必ずしも認められない。そこで、差スペクトルを示す図１０は、縦軸の吸収率の数値を細かくすることで、スペクトル図を拡大して示した。その結果、図１０に示すように、周波数が大きくなるにつれて、吸収率が向上していること、すなわち透過率が低下していることが認められた。
【００７９】
このような結果から、上記のような水改質材で水を処理することにより、水は処理前より光を吸収し易い乱れたエネルギーの高い状態になると認められる。このことから、水改質材が市販のミネラルウォーターに作用し、その水が改質されたと考えられる。
【００８０】
（実施例４）
本実施例では、上記実施形態１の水改質材を用いて自動車の燃費向上に関する試験を行なった。具体的には、上記実施形態２のように金属チップ内に水改質材を装填したものを準備し、これをラジエーターのアッパーホース部分に貼着し、その状態で自動車を走行させた。一方、このような金属チップ内に水改質材を装填したものを貼着しない状態で、同じ自動車を走行させて比較を行なった。同じ自動車で比較したが、車種は複数のものを用いて試験した。その結果を表１に示す。
【００８１】
【表１】
2006181532.tif 000002
【００８２】
尚、表１において、「装着前」、「装着後」とは、上記金属チップをラジエータに装着する前の燃費と装着した後の燃費をいう。またアップ率は、装着後の燃費を装着前の燃費で除した値を百分率で表したものである。表１からも明らかなように、ほとんどの車種について、燃費が１０％以上向上し、平均でも２０％以上の向上が認められた。
【００８３】
（実施例５）
本実施例では、上記実施形態で用いた水改質材で処理した処理水の飲用が、生体にどう影響するかを、飲用前後の皮膚のインピーダンス変化を測定し、求めることにより評価した。
【００８４】
試料としては、上記実施形態１のような水改質材を装填した金属チップであって、水改質材の装填量が、０．５ｇ、１．０ｇ、１．５ｇと３種類のものを準備した。
【００８５】
測定法は次のとおり行なった。すなわち、先ず上記のような水改質材を装填した金属チップの上に、市販のミネラルウォーターを入れたコップを約１時間置き、この処理後のミネラルウォーター（改質水）を飲む前と飲んだ後の状態をプリケアナデイー（ミサワ製の皮膚インピーダンス測定装置ＡＭＩ−１００〔医療用具製造承認番号（０４Ｂ）０７６８〕を用いて測定（以下、ＡＭＩ測定という）し、生体の状態変化を調べた。
【００８６】
具体的には人体の皮膚の一部、たとえば図１１に示すように手に電極を装着し、ごく短時間（２５６μｓｅｃ）の間、３Ｖの電圧を加え、そのとき電極間に流れる電流を測定し、生体の反応を次の３つのパラメーターで評価した。
ＢＰ平均値：体液循環及び気の流れのパラメーター
ＩＱ平均値：生体の防衛機能−免疫力のパラメーター
ＡＰ平均値：自律神経系のパラメーター
【００８７】
ここで、ＡＭＩ測定の原理を具体的に説明する。皮膚は、表皮と真皮からなり、さらに表皮は角質層、淡明層、顆粒層、基底層等からなるが、淡明層と基底層（基底膜）は電気が流れにくく、電気的な絶縁層になっていると考えられる。一方、淡明層と基底層との間や真皮等においては電気が流れ易い状態となっているので、図１２に示すように淡明層と基底層の上下で電荷が溜まる、すなわち分極が起るようになる。生体に電気的な刺激を与えると、初めは生体が急激な変化に対応しきれずに、比較的大きな電流が皮膚の真皮内を流れる。しかし、しばらくすると生体の反応が起こり、表皮内の基底層（基底膜）の上下にイオンを集め、分極（逆電圧）を生じさせる。この分極が進むにつれて、電流の大きさは徐々に小さくなり、最後には一定の値に近づく。ただしゼロにはならない。この状態は図１３に示されている。
【００８８】
生体に印加した矩形波電圧は、フーリエ級数変換の原理から、いろいろな周波数成分の電圧から成り立っている。ところが、生体内のイオンの移動速度では２０ｋＨｚ以下の交流電圧にしか追いつけない。従って、矩形波電圧のごくはじめの部分の非常に高速な交流部分から成り立っている部分では、生体内のイオンは追いつくことができず、このときは電流は真皮内を流れることになる。もちろん、この生体現象は、神経を介して起る反応よりも非常に短時間且つ高速に起る現象である。
矩形波電圧を加えられた生体に流れる電流は、時間とともに減衰して一定の値に落ち着く。そして、減衰する前の電流と、減衰した後の電流とでは、大きさも流れる場所も異なる。上記測定装置では、この２種類の電流と、電流が減衰するまでに流れた電流（電荷）の総和の３つを、生体の状態を表すパラメータとしている。
【００８９】
上記ＢＰ（Before Polarization）とは、矩形波電圧によって表皮内のバリア膜（基底膜）上下に分極（逆電圧）が生じる前に流れる電流の大きさである。ＢＰの大きさは、生体の皮膚組織固有の抵抗の大きさで決まる。健康で体液のよく流れる被検者は、電流が流れ易く（抵抗が少なく）、ＢＰの値も大きなものになる。これとは逆に、老人や虚弱な被検者は、体液の流れが悪く、ＢＰの値も小さなものになる。
【００９０】
また上記ＡＰ（After Polarization）とは、表皮内のバリア膜（基底膜）上下に分極が生じた後に流れる電流の大きさである。分極が完了し、真皮内に電流が流れなくなった後でも、ＢＰの約１／３０〜１／４０の大きさの電流が流れ続ける。この電流の大部分は表皮内を流れると考えられる。臨床的に見ると、ＡＰはＧＳＲ（皮膚電気反射）等のように、自律神経の状態に関するパラメータであると考えられる。
【００９１】
さらに上記ＩＱ（Integrated Electrical Charge）は、バリア膜（基底膜）上下に集まるイオンの総量、つまり分極の大きさを表す。病人や虚弱な被験者は、ＩＱの値が健康な被験者よりも小さく、疾病初期の被験者やアレルギー体質の被験者では、ＩＱは大きくなることがわかっている。臨床的に見ると、ＩＱは防衛機能に関するパラメータであると考えられている。尚、ＢＰ、ＡＰ、ＩＱの数値的な意義は、図１３のグラフに表されている。
【００９２】
以上のようなＡＭＩ測定を、男性１人（５２歳）と、女性２人（５１歳、７９歳）の計３人の被験者に対して行なった。上記水改質材の装填量が異なる３種類の金属チップで上述のように市販のミネラルウォーターを処理した改質水（改質水１，２，３）を、各コップ１杯（約２００ｍｌ）飲用し、１０分後に測定した。
【００９３】
被験者１（男性５２歳）についての試験結果を表２に示す。表２からも明らかなように、上記水改質材０．５ｇを装填した金属チップで改質した改質水１を飲んだ後、１０分後にはＢＰ平均値（μＡ）がかなり上昇し、上記水改質材１．０ｇを装填した金属チップで改質した改質水２を飲んだ後、１０分後にはＢＰ平均値はやや上昇し、上記水改質材１．５ｇを装填した金属チップで改質した改質水３を飲んだ後、１０分後ではさらにＢＰ平均値は上昇した。これに対して、未処理のミネラルウォーター（未処理水）を飲んだ後、１０分後には、ＢＰ平均値はかなり下降した。ＩＱ平均値でもほぼ同じ傾向を示した。
【００９４】
【表２】
2006181532.tif 000003
【００９５】
被験者２（女性５１歳）についての試験結果を表３に示す。表３からも明らかなように、上記水改質材０．５ｇを装填した金属チップで改質した改質水１を飲んだ後、１０分後にはＢＰ平均値がかなり上昇し、上記水改質材１．０ｇを装填した金属チップで改質した改質水２を飲んだ後、１０分後においてもＢＰ平均値はかなり上昇し、上記水改質材１．５ｇを装填した金属チップで改質した改質水３を飲んだ後、１０分後ではさらに上昇した。これに対して、未処理水を飲んだ後、１０分後には、ＢＰ平均値はやや下降した。ＩＱ平均値でもほぼ同じ傾向を示した。
【００９６】
【表３】
2006181532.tif 000004
【００９７】
被験者３（女性７９歳）についての試験結果を表４に示す。表４からも明らかなように、上記水改質材０．５ｇを装填した金属チップで改質した改質水１を飲んだ後、１０分後にはＢＰ平均値がかなり上昇し、上記水改質材１．０ｇを装填した金属チップで改質した改質水２を飲んだ後、１０分後ではＢＰ平均値はほとんど変わらず、上記水改質材１．５ｇを装填した金属チップで改質した改質水３を飲んだ後、１０分後ではＢＰ平均値はかなり上昇した。これに対して、未処理水を飲んだ後、１０分後には、ＢＰ平均値はやや下降した。ＩＱ平均値でもほぼ同じ傾向を示した。
【００９８】
【表４】
2006181532.tif 000005
【００９９】
上記のように水改質材で改質された改質水の飲用に伴い、体液循環及び気の流れを表すＢＰ平均値及び生体の防衛機能を表すＩＱ平均値は上昇傾向を示した。この結果は、改質水が体液の循環をスムーズにし、気の流れを良くする効果を持ち、さらに防衛機能を促進する効果が認められた。これに対し、未処理水にはそのような効果は認められなかった。また金属チップ内の水改質材の装填量が多い程、効果が増す傾向が認められた。一方、ＡＰ平均値（μＡ）については、改質水と、未処理水とでさほど変化が認められなかった。
【産業上の利用可能性】
【０１００】
本発明の水改質材は、自動車の燃費向上のため、或いは人体に対して良好な機能を付与する等の各種の用途に広く適用することができる。
【図面の簡単な説明】
【０１０１】
【図１】水改質材を具備する一実施形態としての金属チップの平面図。
【図２】図１のＡ−Ａ線拡大断面図。
【図３】測定１回目の改質水と未処理水との赤外線吸収スペクトルを重ね書きした状態のグラフ。
【図４】測定１回目の改質水と未処理水との差スペクトルを示すグラフ。
【図５】測定２回目の改質水と未処理水との赤外線吸収スペクトルを重ね書きした状態のグラフ。
【図６】測定２回目の改質水と未処理水との差スペクトルを示すグラフ。
【図７】図４と図６の差スペクトルを重ね書きした状態を示すグラフ。
【図８】改質水と未処理水とのテラヘルツ吸収スペクトルを重ね書きした状態のグラフ。
【図９】２回測定した平均のテラヘルツ吸収スペクトルを重ね書きした状態のグラフ。
【図１０】図９から求めた改質水と未処理水との差スペクトルを示すグラフ。
【図１１】ＡＭＩ測定における電極装着状態の概略図。
【図１２】ＡＭＩ測定の原理を説明する表皮内真皮内イオン集積状態の模式図。
【図１３】ＡＭＩ測定における電流波形を示すグラフ。
【符号の説明】
【０１０２】
１…金属チップ      ３…粉体
【図１】
2006181532.tif 000006
【図２】
2006181532.tif 000007
【図３】
2006181532.tif 000008
【図４】
2006181532.tif 000009
【図５】
2006181532.tif 000010
【図６】
2006181532.tif 000011
【図７】
2006181532.tif 000012
【図８】
2006181532.tif 000013
【図９】
2006181532.tif 000014
【図１０】
2006181532.tif 000015
【図１１】
2006181532.tif 000016
【図１２】
2006181532.tif 000017
【図１３】
2006181532.tif 000018